(57)【要約】      （修正有）【課題】給湯用蛇口までの給湯配管内の水を無駄なく使える捨て水再利用節水装置を提供する。【解決手段】お湯側のコックＡを開けると、給湯配管Ｌ内の冷めたい水（捨て水）がタンクＤの中に入り、水位の上昇とともにタンクＤ内の空気圧が増していき、ニ）の状態で捨て水の全てがタンクＤ内に入った時点でコックＡを閉め蛇口にはお湯が届き、いつでも使える状態になって、水側のコックＢを開け混合栓Ｍを開けるとタンクＤ内の捨て水は、タンクＤ内の空気圧によって押出され給水管Ｐの水と合流し、混合栓Ｍから放出される。【選択図】図１
2017075504.tif 000002
【特許請求の範囲】
【請求項１】
図１において、お湯側のコックＡを開けると、給湯配管内の冷めたい水（捨て水）がタンクＤの中に入ります。水位の上昇とともにタンク内の空気圧が増していきます。（ニ）の状態で捨て水は全てがタンク内に入り蛇口までお湯が届き、いつでも使える状態である。コックＢを開け混合栓Ｍを開けるとタンク内の捨て水は、タンク内の空気圧によって押出され給水管の水と合流して有効に使われる。この原理に基づく全てのものが本考案である。
【発明の詳細な説明】
【技術分野】
【０００１】
給湯用蛇口を開けても直ぐにお湯は出ません。ボイラーから蛇口までの間の配管中にある冷めたお湯つまり水が存在が原因である。その給湯用配管が長ければ長いほどお湯が蛇口から出るまでに多量の冷たい水を全て排出しなければお湯が出ません。その水はもったいないことである。
一般にこの対策として、大きなビル、ホテル、学校、旅館などでは常時お湯を、各洗面所、お風呂などの近くを常時循環させています。  つまり、循環用電気ポンプを２４時間作動させ給湯配管をループさせていることは、かなりの電気エネルギーの浪費です。  常時循環していればお湯の温度が下がりボイラーが加温のために作動し、これもエネルギーの浪費です。  
【背景技術】
【０００２】
お湯は、ボイラーから給湯配管Ｌから蛇口へ出てくる。  しかし、この給湯用の配管が長いほど、お湯が蛇口から出るまでには冷たい水を全て排出、捨てない限り、お湯は出てきません。
一般にこの対策として、大きなビル、ホテル、学校、旅館などでは常時お湯を、各洗面所、お風呂などの近くを常時循環させています。  つまり、循環用電気ポンプを２４時間作動させ給湯配管をループさせてボイラー、つまり洗い場、洗面所まで、給湯場所の近くまで全てお湯が届いている状態を維持することで、常にお湯の蛇口をひねれば直ぐお湯が出る状態になっています。  これはかなりの電気エネルギーの浪費であり、  一般的な家庭では、このお湯の循環装置を設置していないため、お湯がでるまでの「捨て水」を使わず捨てています。  これは年間総水量ともなれば何トンもの水になるでしょう。
【発明の開示】
【発明が解決しようとする課題】
【０００３】
図１参照し、給湯器と蛇口の間は、給湯器（ボイラー）I＞＞＞給湯配管L＞＞＞蛇口Ｍとなります。 
蛇口を開けると、給湯器が燃焼を始めてお湯を作りますが、給湯器から先の給湯配管に残っている水Lは、給湯器を通らないのでお湯にすることができません。  従って、給湯配管に残っている水が蛇口から出尽くすまでは、水が出てきます。これを「捨て水」と言い、お湯が出るまでの時間を「湯待ち時間」といいます。
一般的に、この対策としてお湯がすぐに出るように、給湯器（ボイラー）と各洗面場や風呂場まで循環ポンプによって常にお湯を循環させています。  しかし使わなくとも２４時間循環ポンプを作動させることは電気エネルギーの大きな浪費です。  常時循環していればお湯の温度が下がりボイラーが加温のために作動します。  これもエネルギーの浪費です。  一般的な家庭では、このお湯の循環装置を設置していないため、お湯がでるまでの「捨て水」を使わず捨てています。  これは年間総水量ともなれば何トンもの水になるでしょう。  これはもったいないことです。  その「捨て水」を捨てないで再利用、節水するのが本考案の課題である。
【課題を解決するための手段】
【０００４】
基本状態、スタンバイ状態（ロ）、給湯側のコックＡを開けると水がタンクに注入され、水位の上昇とともにタンク内の空気圧が上昇していく（ハ）。捨て水Ｌの全てがタンク内に入り蛇口にはお湯が届いている状態で同時に空気圧は最高に達している（二）。
（ホ）給水側のコックＢを開け、混合栓の蛇口を開けるとタンク内の水が給水の水と合流して外に放水され水が使われる。図１において、お湯側のコックＡを開けると、給湯配管内の冷めたい水（捨て水）がタンクＤの中に入ります。水位の上昇とともにタンク内の空気圧が増していきます。（ニ）の状態で捨て水は全てがタンク内に入り蛇口までお湯が届いた時点でコックＡを閉じ、いつでも使える状態になっている。コックＢを開け混合栓Ｍを開けると蛇口がわの水圧が下がることでタンク内の捨て水は、タンク内の空気圧によって押出され給水管の水と合流して有効に使われる。この原理に基づく全てのものが本考案である。それまでお湯が出るまでに捨てられていた水を有効に利用する装置が本考案である。
【発明の効果】
【０００５】
（１）本考案の装置は構造が単純であるため、低コストで製造できる。  （２）本考案の装置は電気を使わずに上記目的を達成できるので省エネである。  （３）タンク内に一時溜まった「捨て水」Lを有効に利用できるので大きな節水になる。  （４）給湯の蛇口からすぐにお湯が出るので洗い湯として、シャワーとして利用できるので。  いつお湯が出るか出るかと待っている余計な心配がなくなる。  （５）すぐにお湯を出す為の対策として実施されている、湯器（ボイラー）と各洗面場や風呂場まで循環ポンプによって常にお湯を循環させ、使わなくとも２４時間循環ポンプを作動させる電気エネルギーの浪費がなくなる。  （６）常時循環していればお湯の温度が下がりボイラーが加温のために作動します。  このためのエネルギーの消費も解消されます。  （７）一般的なこの対策としての循環用の配管（ループ）の工事、循環用ラインポンプの設備費などが不要になることで住宅建設費の軽減にもなる。
【図面の簡単な説明】
【０００６】
【図１】本考案のシステムの構成図及び実施例である。
【符号の説明】
【０００７】
Ａ：給湯バルブ（逆止弁付き上方向にしか流れない）
Ｂ：給水バルブ（逆止弁付き下方向にしか流れない）
Ｃ：レバー （混合栓）
Ｄ：タンク（捨て水を一時溜める、密閉型）
Ｅ：空気抜きコック及びタンク内空気圧調整（水を押出す空気圧力を調整する）
Ｆ：水抜きコック
Ｇ：最低水位フロートスイッチ（水を押出す空気圧を一定以上に保持するため空気を抜けさせないためこの最下位で電磁弁Ｎが閉じことでタンク内空気圧が維持される）
Ｈ：最高水位フロートスイッチ（ボイラーから蛇口までの全水量が入る水位、配管の距離に比例）
Ｉ：給湯ボイラー（電気ボイラー、灯油ボイラー）などお湯をつくる装置
Ｊ：温度センサー（このセンサーによって蛇口にお湯が届いた事を確認と同時に電磁弁Ｋを閉じる）
Ｋ：給湯用電磁弁（まずはこの電磁が作動し捨て水がタンク内に流入する）
Ｌ：給湯配管（この管の長さが長いほどお湯が出るまでの時間が長く、その間のあった水を無駄に流すことになる）
Ｍ：混合栓
Ｎ：給水用電磁弁（この電磁弁で作動する事でタンク内の水（捨て水）がタンク内空気圧によって押出され給水管に合流させる。）
Ｏ：給湯用配管
Ｐ：給水用配管
Ｒ：有効に使われた捨水と湯
【０００８】
（イ）本考案の構成図
（ロ）基本状態、スタンバイ状態
（ハ）給湯側のコックＡを開けると水がタンクに注入され、水位の上昇とともにタンク内の空気圧が上昇していく。
（二）捨て水Ｌの全てがタンク内に入り蛇口にはお湯が届いている状態で同時に空気圧は最高に達している。
（ホ）給水側のコックＢを開け、混合栓の蛇口を開けると給水の水と合流して外に放水され水が使われる。
（ト）水位が最下位の時点でコックＬを閉じる。
（チ）実施例の立面図、本考案の（ロ）から（ト）の一連の動作を全自動化するために電磁弁、水位スイッチ、温度センサーなどを設置した実施例である。
【図１】
2017075504.tif 000003